(57)【特許請求の範囲】
【請求項１】
映像系の信号を入力するために入力用ケーブルと接続される入力端子およびこの入力された信号を分配して出力するために出力用ケーブルと接続される出力端子を備えた分配器と、この分配器や、ＤＳＵを備えたＤＳＵ内蔵ルータ及びアナログ／ＩＳＤＮ／ＬＡＮ用接続端子を備えたマルチメディアパネルが装填されたケーシングとを備えたマルチメディア情報盤であって、
前記入力端子および出力端子は、分配器の背面に設けられ、かつ、ケーシングの背面に露出していることを特徴とするマルチメディア情報盤。
【請求項２】
請求項１記載のマルチメディア情報盤において、
前記入力端子が複数配置されてなる入力端子群と、出力端子が複数配置されてなる出力端子群とは、前記分配器の背面において、上下または左右に離間して配置されていることを特徴とするマルチメディア情報盤。
【請求項３】
請求項１または２記載のマルチメディア情報盤において、
前記分配器の背面には、この分配器と回路的に接続されていない空き端子が、ケーシングの背面に露出した状態で設けられていることを特徴とするマルチメディア情報盤。
【請求項４】
請求項１〜３のいずれかに記載のマルチメディア情報盤に、入・出力用ケーブルとを接続してなるケーブル接続構造であって、
前記マルチメディア情報盤が、そのケーシングを壁に着脱可能に取り付けることによって、該壁に固定され、
この壁内に配線された入力用ケーブルと出力用ケーブルとが壁内で穏やかに曲げられて、壁表面から突出しており、この突出した入力用ケーブルの端部と出力用ケーブルの端部とが、それぞれ、前記分配器の入力端子と出力端子に接続されていることを特徴とするケーブル接続構造。
【請求項５】
請求項４記載のケーブルの接続構造において、
複数の前記出力用ケーブルのうち、少なくとも一つの出力用ケーブルが、前記空き端子に接続されていることを特徴とするケーブルの接続構造。
【請求項６】
請求項１〜３のいずれかに記載のマルチメディア情報盤に、入・出力用ケーブルとを接続するケーブル接続方法であって、
壁内に配線された入力用ケーブルと出力用ケーブルとを壁内で穏やかに曲げて、壁表面から突出させておき、
この突出した入力用ケーブルの端部と出力用ケーブルの端部とを、それぞれ、前記分配器の入力端子と出力端子に接続し、
その後、マルチメディア情報盤を、そのケーシングを壁に取り付けることによって、該壁に固定することを特徴とするケーブル接続方法。
【発明の詳細な説明】
【０００１】
【発明の属する技術分野】
本発明は、マルチメディア情報盤、マルチメディア情報盤に入・出力用ケーブルとを接続してなるケーブル接続構造およびケーブル接続方法に関するものである。
【０００２】
【背景の技術】
近年、テレビ放送の受信形態として従来の地上波によるものだけでなく、ＢＳやＣＳのような人工衛星を用いた衛星放送やＣＡＴＶのような有線によるものが普及してきている。また、電話回線に接続される端末機器として、通常の電話機のほかファクシミリを用いたり、いわゆるパソコン通信のための情報通信機器を用いることが多くなってきており、オフィスのみならず住宅内にもマルチメディア機器が浸透してきている。
ところで、上述のようなマルチメディア機器には各種のものがあり、それに伴い信号線（ケーブル）の形態やコネクタの形状には複数の種類があるため、これらの信号線（ケーブル）を個別に管理した場合、例えば保守や点検の作業をする際には面倒であった。さらに、既設住宅に各種の配線をそれぞれ個別に行うのは困難であるとともに、配線が外部に露出して美観を損なうことがあった。
そこで、信号線（ケーブル）を壁内に配線する、いわゆる先行配線を行い、住宅内の一箇所に各種の信号線（ケーブル）を集めて集中管理することが知られている。
この一例として、特開平11-187154号公報記載の技術がある。この技術では、上述したようなマルチメディア機器に信号線（ケーブル）を接続するのに必要な各種の内器を盤ボックス（ケーシング）内に収納したマルチメディア情報盤であって、このマルチメディア情報盤によって各種信号線（ケーブル）および内器を住宅内で集中管理している。
【０００３】
【発明が解決しようとする課題】
ところで、前記特開平11-187154号公報記載の前記マルチメディア情報盤において、ＢＳ／ＵＶやＣＳのようなテレビ放送に係わる信号線（出力用ケーブル）は、各部屋の情報コンセントに接続されており、この情報コンセントから壁内に配線され、住宅内のある一箇所の壁に設置された盤ボックス（ケーシング）内のＢＳ／ＵＶ分配器やＣＳ切換分配器に設けられた出力端子に、それぞれ接続されるようになっている。
また、ＢＳ／ＵＶやＣＳアンテナからの信号線（入力用ケーブル）も、同様に、壁内に配線され、盤ボックス（ケーシング）内のＢＳ／ＵＶ分配器やＣＳ切換分配器に設けられた入力端子に、それぞれ接続されるようになっている。
しかし、このような入力端子、出力端子は、ＢＳ／ＵＶ分配器やＣＳ切換分配器の前面に設けられているため、壁内に配線された信号線（入・出力用ケーブル）を前記端子に接続するためには、これらの信号線（入・出力用ケーブル）を壁内から壁外に出した後、壁に設置されたマルチメディア情報盤の背面から前面に回したうえで、ＢＳ／ＵＶ分配器やＣＳ切換分配器の前面に設けられた前記端子に接続していた。
そのため、狭い盤ボックス（ケーシング）内で、径の太い信号線（入・出力用ケーブル）を他の情報通信系の信号線（ケーブル）と干渉しないように曲げて、それぞれ前記端子に接続しなければならないので、その施工が困難であるとともに、太い信号線（入・出力用ケーブル）が前面に露出するので盤ボックス（ケーシング）内の見栄えも良くなかった。
本発明は、上記事情に鑑みてなされたもので、ケーブルを容易に接続することができるとともにケーシング内の外観品質を向上させることのできるマルチメディア情報盤、ケーブルの接続構造およびケーブルの接続方法を提供することを課題としている。
【０００４】
【課題を解決するための手段】
上記課題を達成するために、請求項１の発明は、例えば、図１(a)および(b)に示すように、映像系の信号を入力するために入力用ケーブル９と接続される入力端子２，４およびこの入力された信号を分配して出力するために出力用ケーブル１０と接続される出力端子３，５を備えた分配器６と、この分配器６や、ＤＳＵを備えたＤＳＵ内蔵ルータ２３及びアナログ／ＩＳＤＮ／ＬＡＮ用接続端子を備えたマルチメディアパネル２４が装填されたケーシング８とを備えたマルチメディア情報盤１であって、
前記入力端子２，４および出力端子３，５は、分配器６の背面に設けられ、かつ、ケーシング８の背面に露出していることを特徴とする。
【０００５】
請求項１の発明によれば、前記入力端子２，４および出力端子３，５は、分配器６の背面に設けられ、かつ、ケーシング８の背面に露出しているので、従来と異なり、狭いケーシング８内で、ケーシング８の背面から前面に回したうえで、径の太い入・出力用ケーブル９，１０を曲げて、前面に設けられた入力端子２，４や出力端子３，５に接続する必要がなく、入力端子２，４および出力端子３，５に、そのまま入・出力用ケーブル９，１０を接続することができるので、その作業をスムーズに行うことができる。
また、径の太い入・出力用ケーブル９，１０がケーシング８の前面に露出することがないので、ケーシング８内の外観品質を向上させることができる。
さらに、狭いケーシング８内で入・出力用ケーブル９，１０をきつく曲げて接続する必要がないので、ノイズ等が発生することなく、映像系の信号をより確実に配信することができる。
【０００６】
前記入力用ケーブル９は、例えば、地上波放送用（ＵＨＦ・ＶＨＦ）アンテナ１２、ＢＳ放送用アンテナ１３、ＣＳ放送用アンテナ１４、通信衛星放送（ＣＡＴＶ）アンテナ等による映像系の信号を配信する同軸ケーブルであって、壁１１内に配線された後、マルチメディア情報盤１が設置された壁１１の表面から突出し、前記入力端子２，４に接続されるものである。
前記出力用ケーブル１０は、例えば、地上波放送用（ＵＨＦ・ＶＨＦ）アンテナ１２やＢＳ放送用アンテナ１３、ＣＳ放送用アンテナ１４、通信衛星放送（ＣＡＴＶ）アンテナ等による映像系の信号を配信する同軸ケーブルであって、各部屋に設置された情報コンセント１５に接続されており、壁１１内に配線された後、マルチメディア情報盤１が設置された壁１１の表面から突出し、前記出力端子３，５に接続されるものである。
【０００７】
前記映像系の信号には、例えば、地上波放送（ＶＨＦ／ＵＨＦ）や衛星放送（ＢＳ、ＣＳ）、通信衛星放送（ＣＡＴＶ）等を扱う地上波放送信号や衛星放送信号、通信衛星放送信号等がある。
【０００８】
前記分配器６には、例えば、ＢＳ／ＵＶブースター兼８分配器１６やＣＳ衛星・偏波切換兼４分配器１７等がある。
【０００９】
請求項２の発明は、例えば、図２および図３に示すように、請求項１記載のマルチメディア情報盤１において、
前記入力端子２，４が複数配置されてなる入力端子群１８，２０と、出力端子３，５が複数配置されてなる出力端子群１９，２１とは、前記分配器６の背面において、上下または左右に離間して配置されていることを特徴とする。
【００１０】
請求項２の発明によれば、前記入力端子群１８，２０と前記出力端子群１９，２１とは、前記分配器６の背面において、上下または左右に離間して配置されているので、入力端子２，４および出力端子３，５とを容易に見分けることができ、入力端子２，４および出力端子３，５に入・出力用ケーブル９，１０をそれぞれ接続する際に、誤って、違う端子に接続することがないので、スムーズに接続することができる。
【００１１】
請求項３の発明は、例えば、図３に示すように、請求項１または２記載のマルチメディア情報盤１において、
前記分配器６（例えば、ＣＳ衛星・偏波切換器兼４分配器１７）の背面には、この分配器６と回路的に接続されていない空き端子２２が、ケーシング８の背面に露出した状態で設けられていることを特徴とする。
【００１２】
請求項３の発明によれば、前記分配器６の背面には、この分配器６と回路的に接続されていない空き端子２２が、ケーシング８の背面に露出した状態で設けられているので、前記空き端子２２に出力用ケーブル１０を接続することによって、この出力用ケーブル１０を仮固定することができる。
したがって、例えば、将来に備えた予備配線として、出力用ケーブル１０を壁１１内に配線しておき、この出力用ケーブル１０を空き端子２２に接続しておけば、出力端子３，５に接続した出力用ケーブル１０と、空き端子２２に接続した出力用ケーブル１０とを相互に入れ替えることによって、新たに出力用ケーブル１０に映像系の信号を配信したい場合に、その度に、出力用ケーブル１０の配線作業を行うことなく、また、出力用ケーブル１０は仮固定されているので、壁１１内に落ちることがなく、空き端子２２に接続した出力用ケーブル１０に、容易に前記映像系の信号を配信することができる。
【００１３】
請求項４の発明は、例えば、図１(a)および図４に示すように、請求項１〜３のいずれかに記載のマルチメディア情報盤１に、入・出力用のケーブル９，１０とを接続してなるケーブル接続構造であって、
前記マルチメディア情報盤１が、そのケーシング８を壁１１に着脱可能に取り付けることによって、該壁１１に固定され、
この壁１１内に配線された入力用ケーブル９と出力用ケーブル１０とが壁１１内で穏やかに曲げられて、壁１１表面から突出しており、この突出した入力用ケーブル９の端部９aと出力用ケーブル１０の端部１０aとが、それぞれ、前記分配器６の入力端子２，４と出力端子３，５に接続されていることを特徴とする。
【００１４】
請求項４の発明によれば、前記マルチメディア情報盤１が、そのケーシング８を壁１１に着脱可能に取り付けることによって、該壁１１に固定されているので、入・出力用ケーブル９，１０を入力端子２，４および出力端子３，５に接続する際に、容易にケーシング８を壁１１から取り外すことができ、この接続作業を容易に行うことができる。
また、入力用ケーブル９と出力用ケーブル１０とが壁１１内で穏やかに曲げられて、壁１１表面から突出しており、この突出した入力用ケーブル９の端部９aと出力用ケーブル１０の端部１０aとが、それぞれ、前記分配器６の入力端子２，４と出力端子３，５に接続されているので、ノイズ等が発生することなく、映像系の信号を確実にケーブル９，１０内に配信することができ、かつこれらの接続作業も容易となる。
【００１５】
請求項５の発明は、例えば、図１(a)および図３に示すように、請求項４記載のケーブルの接続構造において、
複数の前記出力用ケーブル１０のうち、少なくとも一つの出力用ケーブル１０が、前記空き端子２２に接続されていることを特徴とする。
【００１６】
請求項５の発明によれば、複数の前記出力用ケーブル１０のうち、少なくとも一つの出力用ケーブル１０が、前記空き端子２２に接続されているので、この出力用ケーブル１０を仮固定することができる。
したがって、例えば、将来に備えた予備配線として、出力用ケーブル１０を壁１１内に配線しておき、この出力用ケーブル１０を空き端子２２に接続しておけば、出力端子３，５に接続した出力用ケーブル１０と、空き端子２２に接続した出力用ケーブル１０とを相互に入れ替えることによって、新たに出力用ケーブル１０に映像系の信号を配信したい場合に、その度に、出力用ケーブル１０の配線作業を行うことなく、また、出力用ケーブル１０は仮固定しているので、壁１１内に落ちることがなく、空き端子２２に接続した出力用ケーブル１０に、容易に前記映像系の信号を配信することができる。
【００１７】
請求項６の発明は、例えば、図１(a)および図４に示すように、請求項１〜３のいずれかに記載のマルチメディア情報盤１に、入・出力用ケーブル９，１０とを接続するケーブル接続方法であって、
壁１１内に配線された入力用ケーブル９と出力用ケーブル１０とを壁１１内で穏やかに曲げて、壁１１表面から突出させておき、
この突出した入力用ケーブル９の端部９aと出力用ケーブル１０の端部１０aとを、それぞれ、前記分配器６の入力端子２，４と出力端子３，５に接続し、
その後、マルチメディア情報盤１を、そのケーシング８を壁１１に取り付けることによって、該壁１１に固定することを特徴とする。
【００１８】
請求項６の発明によれば、入力用ケーブル９と出力用ケーブル１０とを壁１１内で穏やかに曲げて、壁１１表面から突出させておき、そのまま前記入力端子２，４と出力端子３，５にそれぞれ接続するので、ノイズ等が発生することなく、映像系の信号を確実にケーブル９，１０内に配信することができ、かつこれらの接続作業も容易となる。
また、マルチメディア情報盤１は、そのケーシング８を壁１１に取り付けることによって、該壁１１に固定されるので、入・出力用ケーブル９，１０を入力端子２，４および出力端子３，５に接続する際に、容易にケーシング８を壁１１から取り外すことができるので、この接続作業を容易に行うことができる。
【００１９】
【発明の実施の形態】
以下、本発明の実施の形態を図面に基づいて説明する。
図１(a)は壁に取り付けられたマルチメディア情報盤の側断面図、図１(b)はマルチメディア情報盤のケーシング内を示す前面図、図２はＢＳ／ＵＶブースター兼８分配器の背面図、図３はＣＳ衛星・偏波切換器兼４分配器の背面図、図４は本発明のマルチメディア情報盤が備えられた住宅の正断面図、図５は情報コンセントの前面図である。
【００２０】
図１(a)および(b)に示すように、マルチメディア情報盤１は、映像系の信号が入力される入力端子２，４およびこの入力された信号を分配して出力する出力端子３，５を備えた分配器６と、この分配器６やその他の情報通信系の情報盤７が装填されたケーシング８とを備えている。
前記入力端子２，４には、入力用ケーブル９が接続されるようになっており、前記出力端子３，５には、出力用ケーブル１０が接続されるようになっている。
【００２１】
前記入力用ケーブル９は、図２〜４に示すように、地上波放送（ＵＨＦ・ＶＨＦ）や衛星放送（ＢＳ／ＣＳ）等を扱う映像系の信号を配信するケーブルであって、壁１１内に配線されている。そして、入力用ケーブル９は、地上波放送用アンテナ１２およびＢＳ放送用アンテナ１３と前記入力端子２とを接続し、ＣＳ放送用アンテナ１４と前記入力端子４とを接続している。
前記出力用ケーブル１０は、前記入力用ケーブル９から配信された映像系の信号を各部屋に設置された後述する情報コンセント１５に配信するケーブルであって、壁１１内に配線され、情報コンセント１５と前記出力端子３，５とを接続している。
【００２２】
図１〜３に示すように、前記分配器６には、ＢＳ／ＵＶブースター兼８分配器１６とＣＳ衛星・偏波切換器兼４分配器１７とがある。
前記ＢＳ／ＵＶブースター兼８分配器１６は、地上波放送信号およびＢＳ放送信号を増幅し、分配するものであり、前記ＣＳ衛星・偏波切換器兼４分配器１７は、ＣＳ放送信号を分配するものである。
そして、これらＢＳ／ＵＶブースター兼８分配器１６とＣＳ衛星・偏波切換器兼４分配器１７との背面には、前記入力端子２，４および出力端子３，５がそれぞれ設けられており、この入力端子２，４および出力端子３，５はケーシング８の背面に露出している。
【００２３】
前記入力端子２，４および出力端子３，５は、前記分配器１６，１７の背面に、それぞれ複数配置されており、この入力端子２，４が複数配置された入力端子群１８，２０と、出力端子３，５が複数配置された出力端子群１９，２１とは、前記分配器１６，１７の背面において、上下に離間して配置されている。
【００２４】
すなわち、前記ＢＳ／ＵＶブースター兼８分配器１６に設けられた入力端子２は、ＢＳ／ＵＶブースター兼８分配器１６の上方でかつ左右に２つ配置されており、出力端子３は、下方でかつ上下に２つ左右に４つずつ配置されている。
前記ＣＳ衛星・偏波切換器兼４分配器１７に設けられた入力端子４は、ＣＳ衛星・偏波切換器兼４分配器１７の上方でかつ上下に２つ、左右に２つずつ配置されており、これら入力端子４，４どうしの間には空き端子２２が上下に２つ配置されている。出力端子５は、下方でかつ上下に２つ、左右に２つずつ配置されており、これら出力端子５，５どうしの間には空き端子２２が上下に２つ配置されている。
【００２５】
前記空き端子２２は、ＣＳ衛星・偏波切換器兼４分配器１７と回路的に接続されておらず、この空き端子２２に出力用ケーブル１０を接続することによって、出力用ケーブル１０の仮固定として使用されるようになっている。
【００２６】
また、マルチメディア情報盤１には、図１(b)に示すように、その他の情報通信系の情報盤７が設けられている。この情報通信系の情報盤７には、ＤＳＵ内蔵ルータ２３やマルチメディアパネル２４がある。
なお、図１(b)において、符号２５は電源コネクターを示している。
【００２７】
前記ＤＳＵ内蔵ルータ２３には、ＤＳＵが備えられている。このＤＳＵには、通信系のケーブルが接続されており、このＤＳＵはターミナルアダプタに接続され、ターミナルアダプタのアナログポートからは各部屋に対応する端子に接続されるようになっている。また、ターミナルアダプタのデジタルポートからは、ハブに接続され、該ハブは各部屋に対応する端子にバス配線して接続されるようになっている。そして、このターミナルアダプタには、ＬＡＮどうしを相互接続するためのルータ機能が備えられており、これによって、各部屋に設置された複数のパソコンを並列接続するとともに簡易ＬＡＮを構築することができる。（図示しない）
【００２８】
前記マルチメディアパネル２４は、アナログ／ＩＳＤＮ／ＬＡＮ用接続端子を備えており、パネルの差し替えによってＩＳＤＮからＬＡＮの変更を容易に行うことができるものである。
前記電源コネクター２５は、電力供給源であって、給電が必要な場合に、この電源コネクター２５から電源が確保される。
【００２９】
次に、本発明のマルチメディア情報盤１に入・出力用ケーブル９，１０とを接続してなるケーブル接続構造について説明する。
図４に示すように、住宅には、ＩＳＤＮ回線２６や地上波放送用（ＵＨＦ・ＶＨＦ）アンテナ１２、ＢＳ放送用アンテナ１３、ＣＳ放送用アンテナ１４が設置されており、各部屋には、地上波放送（ＵＨＦ・ＶＨＦ）や衛星放送（ＢＳ／ＣＳ）等のテレビ放送が配信されるテレビ２７a，２７b、パソコン２８、プリンター２９、電話機３０が設置されている。
また、各部屋には情報コンセント１５が設置されている。この情報コンセント１５には、前記出力用ケーブル１０と、上記のようなテレビ２７a，２７bやパソコン２８、プリンター２９、電話機３０に接続された接続線３１とが接続されている。
【００３０】
前記情報コンセント１５には、図４および図５に示すように、通常電源コンセント３２、ＣＳ用テレビ端子３３、ＢＳ／ＵＶ用テレビ端子３４、ＬＡＮ用モジュラージャック３５、アナログモジュラージャック３６が設けられている。
前記通常電源コンセント３２には、各種情報通信機器の電源コードのプラグが接続されるようになっている。
前記ＣＳ用テレビ端子３３には、接続線３１を介してＣＳ放送受信用チューナー３７が接続され、該ＣＳ放送受信用チューナー３７はテレビ２７aに接続されている。
前記ＢＳ／ＵＶ用テレビ端子３４には、接続線３１を介してＢＳ放送受信用チューナー３８が接続され、該ＢＳ放送受信用チューナー３８はテレビ２７bに接続されている。
前記ＬＡＮ用モジュラージャック３５には、接続線３１を介してパソコン２８が接続され、前記アナログモジュラージャック３６には、接続線３１を介して電話機３０が接続されている。
【００３１】
ここで、前記マルチメディア情報盤１は、そのケーシング８を壁１１に着脱可能に取り付けられており、該壁１１に固定されている。
すなわち、図１(b)に示すように、ケーシング８の上方の左右両端に設けられた穴８a，８aに、壁１１に取り付けられたビス（図示しない）を引っ掛けるようにして嵌め込み固定されており、必要に応じてすぐにこのケーシング８を壁１１から取り外すことができる。
【００３２】
そして、この壁１１内に、地上波放送用（ＵＨＦ・ＶＨＦ）アンテナ１２、ＢＳ放送用アンテナ１３およびＣＳ放送用アンテナ１４に接続されている入力用ケーブル９が、穏やかに曲げられて配線され、マルチメディア情報盤１が取り付けられた壁１１の表面から突出している。この突出した入力用ケーブル９の端部９aは、前記ＢＳ／ＵＶブースター兼８分配器１６およびＣＳ衛星・偏波切換器兼４分配器１７の背面に設けられた入力端子２，４にそれぞれ接続されている。
【００３３】
また、前記情報コンセント１５に接続されている出力用ケーブル１０も、壁１１内に穏やかに曲げられて配線され、マルチメディア情報盤１が取り付けられた壁１１の表面から突出している。この突出した出力用ケーブル１０の端部１０aは、前記ＢＳ／ＵＶブースター兼８分配器１６およびＣＳ衛星・偏波切換器兼４分配器１７の背面に設けられた出力端子３，５にそれぞれ接続されている。
なお、ＣＳ放送が配信される出力用ケーブル１０のうち、少なくとも一つの出力用ケーブル１０は、ＣＳ衛星・偏波切換器兼４分配器１７に設けられた空き端子２２に接続されている。
【００３４】
したがって、地上波放送用（ＵＨＦ・ＶＨＦ）アンテナ１２、ＢＳ放送用アンテナ１３およびＣＳ放送用アンテナ１４による映像系の信号は、それぞれのアンテナ１２，１３，１４に接続された入力用ケーブル９がＢＳ／ＵＶブースター兼８分配器１６やＣＳ衛星・偏波切換器兼４分配器１７に接続されることにより、ブースターで増幅され、分配器で分配されて出力端子３，５に入力される。
その後、出力端子３，５に接続された出力用ケーブル１０が各部屋に設置された情報コンセント１５に接続され、この情報コンセント１５に接続された接続線３１が、テレビ２７a，２７bに接続されることにより、映像系の信号がテレビ２７a，２７bに配信されるようになっている。
【００３５】
また、前記ＩＳＤＮ回線２６による通信系信号は、通信系ケーブル３９が、壁１１内に穏やかに曲げられて配線されて、マルチメディア情報盤１が取り付けられた壁１１の表面から突出した後、ケーシング８の背面から該ケーシング８の上方に設けられた開口部８bに通されて、前面に回されたうえで、マルチメディアパネル２４やＤＳＵ内蔵ルータ２３に接続されることによって、配信され、パソコン２８やプリンター２９の共有および、インターネットへの接続を複数台同時に行うことを可能にしている。
【００３６】
このようにして、マルチメディア情報盤１には、複数の入力用ケーブル９および複数の出力用ケーブル１０が集められて、このマルチメディア情報盤１で集中管理されている。
【００３７】
次に、本発明のマルチメディア情報盤１に入・出力用ケーブル９，１０とを接続するケーブル接続方法について説明する。
図４に示すように、住宅に設置されたＩＳＤＮ回線２６や地上波放送用（ＵＨＦ・ＶＨＦ）アンテナ１２、ＢＳ放送用アンテナ１３およびＣＳ放送用アンテナ１４による映像系の信号を配信する入力用ケーブル９を壁１１内に穏やかに曲げて配線しておき、マルチメディア情報盤１が取り付けられる壁１１の表面から突出させておく。
【００３８】
また、各部屋には、予め情報コンセント１５を設置しておき、この情報コンセント１５には出力用ケーブル１０をそれぞれ接続しておき、その後、この出力用ケーブル１０を壁１１内に穏やかに曲げて配線し、マルチメディア情報盤１が取り付けられる壁１１の表面から突出させておく。
そして、この突出した入力用ケーブル９の端部９aと出力用ケーブル１０の端部１０aとを、それぞれ、ＢＳ／ＵＶブースター兼８分配器１６およびＣＳ衛星・偏波切換器兼４分配器１７の背面に設けられた入力端子２，４および出力端子３，５にそれぞれ接続する。
【００３９】
その後、マルチメディア情報盤１を、そのケーシング８を壁１１に取り付けることによって、該壁１１に固定する。
すなわち、図１(b)に示すように、ケーシング８の上方の左右両端に設けられた穴８a，８aに、壁１１に取り付けられたビス（図示しない）を引っ掛けるようにして嵌め込み固定する。
【００４０】
本発明の実施の形態によれば、前記入力端子２，４および出力端子３，５は、分配器６（ＢＳ／ＵＶブースター兼８分配器１６、ＣＳ衛星・偏波切換器兼４分配器１７）の背面に設けられ、かつ、ケーシング８の背面に露出しているので、従来と異なり、狭いケーシング８内で、ケーシング８の背面から前面に回したうえで、径の太い入・出力用ケーブル９，１０を曲げて、前面に設けられた入力端子２，４や出力端子３，５に接続する必要がなく、入力端子２，４および出力端子３，５に、そのまま入・出力用ケーブル９，１０を接続することができるので、その作業をスムーズに行うことができる。
また、径の太い入・出力用ケーブル９，１０がケーシング８の前面に露出することがないので、ケーシング８内の外観品質を向上させることができる。
さらに、狭いケーシング８内で入・出力用ケーブル９，１０をきつく曲げて接続する必要がないので、ノイズ等が発生することなく、映像系の信号をより確実に配信することができる。
【００４１】
前記入力端子群１８，２０と前記出力端子群１９，２１とは、前記分配器６（ＢＳ／ＵＶブースター兼８分配器１６、ＣＳ衛星・偏波切換器兼４分配器１７）の背面において、上下または左右に離間して配置されているので、入力端子２，４および出力端子３，５とを容易に見分けることができ、入力端子２，４および出力端子３，５に入・出力用ケーブル９，１０をそれぞれ接続する際に、誤って、違う端子に接続することがないので、スムーズに接続することができる。
【００４２】
前記ＣＳ衛星・偏波切換器兼４分配器１７の背面には、このＣＳ衛星・偏波切換器兼４分配器１７と回路的に接続されていない空き端子２２が、ケーシング８の背面に露出した状態で設けられているので、前記空き端子２２に出力用ケーブル１０を接続することによって、この出力用ケーブル１０を仮固定することができる。
したがって、例えば、将来に備えた予備配線として、出力用ケーブル１０を壁１１内に配線しておき、この出力用ケーブル１０を空き端子２２に接続しておけば、出力端子３，５に接続した出力用ケーブル１０と、空き端子２２に接続した出力用ケーブル１０とを相互に入れ替えることによって、新たに出力用ケーブル１０に映像系の信号を配信したい場合に、その度に、出力用ケーブル１０の配線作業を行うことなく、また、出力用ケーブル１０は仮固定されているので、壁１１内に落ちることがなく、空き端子２２に接続した出力用ケーブル１０に、容易に前記映像系の信号を配信することができる。
【００４３】
前記マルチメディア情報盤１は、そのケーシング８を壁１１に着脱可能に取り付けることによって、該壁１１に固定されているので、入・出力用ケーブル９，１０を入力端子２，４および出力端子３，５に接続する際に、容易にケーシング８を壁１１から取り外すことができ、この接続作業を容易に行うことができる。
また、入力用ケーブル９と出力用ケーブル１０とが壁１１内で穏やかに曲げられて、壁１１表面から突出しており、この突出した入力用ケーブル９の端部９aと出力用ケーブル１０の端部１０bとが、それぞれ、前記分配器６（ＢＳ／ＵＶブースター兼８分配器１６、ＣＳ衛星・偏波切換器兼４分配器１７）の入力端子２，４と出力端子３，５に接続されているので、ノイズ等が発生することなく、映像系の信号を確実にケーブル９，１０内に配信することができ、かつこれらの接続作業も容易となる。
【００４４】
なお、前記入力端子群１８，２０と前記出力端子群１９，２１とは、前記分配器６（ＢＳ／ＵＶブースター兼８分配器１６、ＣＳ衛星・偏波切換器兼４分配器１７）の背面において、上下に離間して配置されているが、例えば、左右に離間して配置されていても良い。
【００４５】
また、前記空き端子２２は、本実施の形態における配置場所に限らず、ＣＳ衛星・偏波切換器兼４分配器１７の背面であればどこに配置しても良い。
さらに、前記空き端子２２は、ＣＳ衛星・偏波切換器兼４分配器１７の背面に設けられていたが、例えば、ＢＳ／ＵＶブースター兼８分配器１６に設けても良く、配置場所は、背面であればどこに配置しても良い。
【００４６】
マルチメディア情報盤１は、本実施の形態によれば、ケーシング８内にＢＳ／Ｕ・Ｖブースター兼８分配器１６とＣＳ衛星・偏波切換器兼４分配器１７とＤＳＵ内蔵ルータ２３とマルチメディアパネル２４とが備えられていたが、例えば、ＤＳＵ内蔵ルータ２３を備えていないマルチメディア情報盤１としても良い。
【００４７】
マルチメディア情報盤１は、ケーシング８に設けられた穴８a，８aに、壁１１に取り付けられたビスを引っ掛けるようにして嵌め込み壁１１に固定されているが、着脱可能であれば、例えば、ネジにより壁１１に固定しても良い。
【００４８】
マルチメディア情報盤１は、本実施の形態によれば、壁１１に対して横長に設置されているが、場所によっては、例えば縦長に設置しても良い。
【００４９】
【発明の効果】
請求項１の発明によれば、前記入力端子および出力端子は、分配器の背面に設けられ、かつ、ケーシングの背面に露出しているので、従来と異なり、狭いケーシング内で、ケーシングの背面から前面に回したうえで、径の太い入・出力用ケーブルを曲げて、前面に設けられた入力端子や出力端子に接続する必要がなく、入力端子および出力端子に、そのまま入・出力用ケーブルを接続することができるので、その作業をスムーズに行うことができる。
また、径の太い入・出力用ケーブルがケーシングの前面に露出することがないので、ケーシング内の外観品質を向上させることができる。
さらに、狭いケーシング内で入・出力用ケーブルをきつく曲げて接続する必要がないので、ノイズ等が発生することなく、映像系の信号をより確実に配信することができる。
【００５０】
請求項２の発明によれば、請求項１と同様の効果を得ることができるのは勿論のこと、前記入力端子群と前記出力端子群とは、前記分配器の背面において、上下または左右に離間して配置されているので、入力端子および出力端子とを容易に見分けることができ、入力端子および出力端子に入・出力用ケーブルをそれぞれ接続する際に、誤って、違う端子に接続することがないので、スムーズに接続することができる。
【００５１】
請求項３の発明によれば、請求項１または２と同様の効果を得ることができるのは勿論のこと、前記分配器の背面には、この分配器と回路的に接続されていない空き端子が、ケーシングの背面に露出した状態で設けられているので、前記空き端子に出力用ケーブルを接続することによって、この出力用ケーブルを仮固定することができる。
したがって、例えば、将来に備えた予備配線として、出力用ケーブルを壁内に配線しておき、この出力用ケーブルを空き端子に接続しておけば、出力端子に接続した出力用ケーブルと、空き端子に接続した出力用ケーブルとを相互に入れ替えることによって、新たに出力用ケーブルに映像系の信号を配信したい場合に、その度に、出力用ケーブルの配線作業を行うことなく、また、出力用ケーブルは仮固定されているので、壁内に落ちることがなく、空き端子に接続した出力用ケーブルに、容易に前記映像系の信号を配信することができる。
【００５２】
請求項４の発明によれば、前記マルチメディア情報盤が、そのケーシングを壁に着脱可能に取り付けることによって、該壁に固定されているので、入・出力用ケーブルを入力端子および出力端子に接続する際に、容易にケーシングを壁から取り外すことができ、この接続作業を容易に行うことができる。
また、入力用ケーブルと出力用ケーブルとが壁内で穏やかに曲げられて、壁表面から突出しており、この突出した入力用ケーブルの端部と出力用ケーブルの端部とが、それぞれ、前記分配器の入力端子と出力端子に接続されているので、ノイズ等が発生することなく、映像系の信号を確実にケーブル内に配信することができ、かつこれらの接続作業も容易となる。
【００５３】
請求項５の発明によれば、請求項４と同様の効果を得ることができるのは勿論のこと、複数の前記出力用ケーブルのうち、少なくとも一つの出力用ケーブルが、前記空き端子に接続されているので、この出力用ケーブルを仮固定することができる。
したがって、例えば、将来に備えた予備配線として、出力用ケーブルを壁内に配線しておき、この出力用ケーブルを空き端子に接続しておけば、出力端子に接続した出力用ケーブルと、空き端子に接続した出力用ケーブルとを相互に入れ替えることによって、新たに出力用ケーブルに映像系の信号を配信したい場合に、その度に、出力用ケーブルの配線作業を行うことなく、また、出力用ケーブルは仮固定しているので、壁内に落ちることがなく、空き端子に接続した出力用ケーブルに、容易に前記映像系の信号を配信することができる。
【００５４】
請求項６の発明によれば、入力用ケーブルと出力用ケーブルとを壁内で穏やかに曲げて、壁表面から突出させておき、そのまま前記入力端子の端部と出力端子の端部にそれぞれ接続するので、ノイズ等が発生することなく、映像系の信号を確実にケーブル内に配信することができ、かつこれらの接続作業も容易となる。
また、マルチメディア情報盤は、そのケーシングを壁に取り付けることによって、該壁に固定されるので、入・出力用ケーブルを入力端子および出力端子に接続する際に、容易にケーシングを壁から取り外すことができるので、この接続作業を容易に行うことができる。
【図面の簡単な説明】
【図１】本発明の実施の形態を示すためのもので、(a)は、壁に取り付けられたマルチメディア情報盤の側断面図である。同、(b)は、マルチメディア情報盤のケーシング内を示す前面図である。
【図２】同、ＢＳ／Ｕ・Ｖブースター兼８分配器の背面図である。
【図３】同、ＣＳ衛星・偏波切換器兼４分配器の背面図である。
【図４】同、マルチメディア情報盤が備えられた住宅の正断面図である。
【図５】同、情報コンセントの前面図である。
【符号の説明】
１  マルチメディア情報盤
２，４  入力端子
３，５  出力端子
６  分配器
７  その他の情報通信系の情報盤
８  ケーシング
９  入力用ケーブル
１０  出力用ケーブル
９a，１０a  端部
１１壁
１８，２０  入力端子群
１９，２１  出力端子群
２２  空き端子
【図１】
0004559602.tif 000002
【図２】
0004559602.tif 000003
【図３】
0004559602.tif 000004
【図４】
0004559602.tif 000005
【図５】
0004559602.tif 000006